(57)【要約】【課題】接着剤の硬化に伴う出射光の光量変化を低減可能な、フェルール固定機構、光源装置、画像提示装置及びプロジェクタを提供すること。【解決手段】スリーブは、夫々に光ファイバが内蔵された第１フェルールと第２フェルールとを連結する。このスリーブは、スリーブの長手方向に沿って形成される第１貫通孔を有する。第１フェルールが第１貫通孔の一端に挿入され、第２フェルールが第１貫通孔の他端に挿入される。このスリーブは、第１フェルールの端面と第２フェルールの端面との中間位置であるフェルール対向位置と、第１貫通孔の一端及び他端の少なくとも一方との間に、スリーブの長手方向に沿う外周面から第１貫通孔へと貫通する第２貫通孔を有する。そして、第２貫通孔と前記外周面の一部とを覆う接着剤が、第２貫通孔を介して第１フェルール及び第２フェルールの少なくとも一方に接する。【選択図】        図１
2011242476.tif 000002
【特許請求の範囲】
【請求項１】
光ファイバが内蔵された第１フェルール及び第２フェルールを、前記第１フェルールの端面と前記第２フェルールの端面が対向した状態で、前記第１フェルールと前記第２フェルールとを光学的に結合するフェルール固定機構であって、
前記第１フェルールと前記第２フェルールとを連結するスリーブと、
前記スリーブの一部と前記第１フェルールの一部とに設けられ、前記スリーブと前記第１フェルールとを固定する第１接着剤と、
前記スリーブの一部と前記第２フェルールの一部とに設けられ、前記スリーブと前記第２フェルールとを固定する第２接着剤とを備え、
前記スリーブは、
前記スリーブの長手方向に沿って形成され、その一端に前記第１フェルールが挿入され、その他端に前記第２フェルールが挿入される第１貫通孔と、
前記スリーブの長手方向に沿う外周面から前記第１貫通孔へと貫通する第２貫通孔とを有し、
前記第２貫通孔は、前記スリーブの長手方向における前記第１フェルールの端面と前記第２フェルールの端面との中間位置であるフェルール対向位置と、前記第１貫通孔の一端との間に設けられ、
前記第１接着剤は、前記第２貫通孔と前記外周面の一部とを覆い、前記第２貫通孔を介して前記第１フェルールに接する、
ことを特徴とするフェルール固定機構。
【請求項２】
前記第２貫通孔は、前記外周面から前記第１貫通孔へと貫通する複数の貫通孔によって構成される、
請求項１に記載のフェルール固定機構。
【請求項３】
前記複数の貫通孔は、
前記第１フェルールを仮固定するための仮固定孔と、
前記仮固定孔よりも大きな開口を有し、前記第１フェルールを本固定するための本固定孔とを有し、
前記第１接着剤は、
前記仮固定孔と前記外周面の一部とを覆い、前記仮固定孔を介して前記第１フェルールに接する仮固定接着剤と、
前記仮固定接着剤が硬化された後に、前記本固定孔と前記外周面の一部とを覆い、前記本固定孔を介して前記第１フェルールに接する本固定接着剤とを有する、
請求項２に記載のフェルール固定機構。
【請求項４】
前記第１接着剤及び前記第２接着剤は、化学反応型又は紫外線硬化型の接着剤である、
請求項１〜３の何れか１項に記載のフェルール固定機構。
【請求項５】
前記第２貫通孔はさらに、前記フェルール対向位置と、前記第１貫通孔の他端との間にも設けられ、
前記第２接着剤は、前記第２貫通孔と前記外周面の一部とを覆い、前記第２貫通孔を介して、前記第２フェルールに接する、
請求項１〜４の何れかに記載のフェルール固定機構。
【請求項６】
波長の異なる光束を出射する複数の発光素子を有する光源部と、
前記複数の発光素子から出射される光を合波する合波部と、
前記複数の発光素子の各々にその一方の端部が接続され、その他方の端部に前記第１フェルールを有し、前記複数の発光素子から射出される光が入射される複数の第１光ファイバと、
前記複数の第１光ファイバに対応して設けられ、合波部にその一方の端部が接続され、その他方の端部に前記第２フェルールを有する複数の第２光ファイバと、
前記複数の第１光ファイバと前記複数の第２光ファイバとを固定するための、請求項１〜５の何れか１項に記載のフェルール固定機構と、
を備えることを特徴とする光源装置。
【請求項７】
請求項６に記載の光源装置と、
前記光源装置からの光を二次元的に走査して画像を形成する光スキャナと、
前記光スキャナによって走査された光を使用者の目に導く接眼光学系とを備える、
ことを特徴する画像提示装置。
【請求項８】
請求項６に記載の光源装置と、
前記光源装置からの光を二次元的に走査して画像を形成する光スキャナと、
前記光スキャナによって走査された光を所定の被投影面に結像させるための結像光学系とを備える、
ことを特徴するプロジェクタ。
【発明の詳細な説明】
【技術分野】
【０００１】
本発明は、光ファイバ同士を光学的に接続する際に、光ファイバがそれぞれ内蔵されたフェルール同士を突き合わせた状態で接続するためのフェルール接続機構、光源装置、画像提示装置及びプロジェクタに関する。
【背景技術】
【０００２】
従来、二次元的に走査された光をユーザの網膜に結像することで、使用者に画像を視認させる網膜走査ディスプレイが知られている。網膜走査ディスプレイにおいては、一般的に、Ｒ（赤色）、Ｇ（緑色）、Ｂ（青色）の各色に対応するＬＥＤ（Ｌｉｇｈｔ  Ｅｍｉｔｔｉｎｇ  Ｄｉｏｄｅ）やＬＤ（Ｌａｓｅｒ  Ｄｉｏｄｅ）などの光源から出射される３色の可視光が、１つの光軸上に合波される。合波された３色の可視光は、画像表示部に伝送される。画像表示部は、伝送された光を二次元的に走査して、使用者の瞳孔に入射する。この入射光が使用者の網膜上に結像することで、使用者は画像を視認する。
【０００３】
網膜走査ディスプレイにおいては、画像表示部に入射する光について、光量の調整が必要となる場合がある。特許文献１には、光を合波する構成において、光量を調整するための技術が開示される。特許文献１では、各色の光が入射して伝播する複数のコアとこれらのコアを被覆するクラッドとからなる光導波路において、コアの幾何学的形状の設定により、各光の光量が所定の比率となるように調整される。特許文献１に開示の技術によれば、光導波路を構成するコアの幾何学的形状に基づき、クラッドがコアを伝播する光を吸収することによる光の損失を積極的に利用することで、光量の調整が行われる。
【０００４】
また、特許文献２には、光ファイバ同士を光学的に接続する技術が開示される。特許文献２においては、スリーブに設けられた貫通孔の中間部に、光ファイバ素線が固定される。そして、２本の光ファイバが、貫通孔の両側から挿入される。挿入された２本の光ファイバの先端面は、固定された光ファイバ素線の両端面に当接する。そして、光ファイバ素線が固定されている部分の外周から貫通孔にかけて、横穴が設けられる。この横穴は、ニードル等を用いて貫通孔内に接着剤を注入するために用いられる。
【先行技術文献】
【特許文献】
【０００５】
【特許文献１】特開２００５−１８９３８５号公報
【特許文献２】特開２００３−１４９７１号公報
【発明の概要】
【発明が解決しようとする課題】
【０００６】
例えば量産化を考えた場合、製造誤差や組み付け誤差を吸収する目的で、個々の装置ごとに光量調整が行えると、生産性の向上に役立つと考えられる。特許文献１に開示の技術では、光導波路を構成するコアの幾何学的形状の設定によって光量の調整が行われる。コアの幾何学的形状は定められているので、例えばさらに光量の調整が必要となった場合、特許文献１に開示の技術では対応が困難である。即ち、特許文献１に開示の技術では、個々の装置に応じて光量を調整することは困難である。また、特許文献２に開示の技術は、特性劣化や一時的断線の防止を目的としているので、そもそも光量調節のための構成が開示されていない。そのため、個々の装置ごとに光量調整が可能な新たな構成が望まれる。
【０００７】
スリーブには、一対の光ファイバが挿入される。この一対の光ファイバの端面間の距離は、結合効率に影響を与える。具体的には、一対の光ファイバの端面間の距離が長くなるほど、結合効率は低下、換言すれば、光量が減少する。この一対の光ファイバの端面間の距離と結合効率との関係は、光量調整に利用可能と考えられる。具体的に例示すると、一対の光ファイバからの出射光量を測定しながら一対のファイバの端面間の距離を変化させ、所望の出射光量となったときの端面間距離にてスリーブと一対の光ファイバとが固定する方法が考えられる。以下、図８を用いて具体的に説明を行う。
【０００８】
図８（Ａ）に示されるように、円筒状のスリーブ４００は、スリーブ４００の長手方向に沿って設けられた、第１貫通孔４０１を有する。スリーブ４００は、従来知られた、いわゆる精密スリーブである。貫通孔４０１の両端から、光ファイバ端部に設けられたフェルールが挿入される。以下、図８（Ｂ）を用いて、光源装置４０においてスリーブ４００がどの様に用いられるかを説明する。
【０００９】
光源装置４０は、光源１１０、第１光ファイバ１２０、第１フェルール１３０、スリーブ４００、第２フェルール１４０、第２光ファイバ１５０及び光出射部１６０を備える。
【００１０】
光源１１０は、所定の波長の光を出射する。例えば、ＬＥＤや、ＬＤなどが光源１１０として用いられる。
【００１１】
第１光ファイバ１２０の一端は、光源１１０に対して光学的に接続される。第１光ファイバ１２０の他端には、第１フェルール１３０が設けられる。第１光ファイバ１２０は、一般的なシングルモードもしくはマルチモードの石英ガラス製光ファイバである。但し、光減衰ファイバ、偏波依存光ファイバ、クラッド部の屈折率を段階的に変化させた光ファイバ、グレーティングファイバ、光プラスチックファイバなど、様々な種類の光ファイバが、第１光ファイバ１２０として用いられても良い。
【００１２】
円筒状の第１フェルール１３０は、光ファイバ１２０の端部の径を拡大させる。第１フェルール１３０は、スリーブ４００の貫通孔４０１に挿入されるための、円筒状の挿入部分１３１を有する。第１フェルール１３０の軸心部分には、第１光ファイバ１２０が挿入されるための、断面形状円形の貫通孔を有する。この貫通孔の軸心は、挿入部分１３１の軸心に一致するように形成される。そして、第１光ファイバ１２０の他端と第１フェルール１３０の端面とが一致するようにして、第１光ファイバ１２０がこの貫通孔に挿入される。第１フェルール１３０は、ジルコニアにより構成される。但し、ステンレス鋼等の金属により第１フェルール１３０が構成されても差し支えない。なお、第２フェルール１４０も、第１フェルール１３０と同一の形状を有する。そのため、第２フェルール１４０の説明は省略される。なお、第１フェルール１３０と第２フェルール１４０とを区別しない場合は、単にフェルールと表記される。
【００１３】
スリーブ４００は、第１フェルール１３０と第２フェルール１４０とを連結する。第１貫通孔４０１の一端には、第１フェルール１３０の挿入部分１３１が挿入される。第１貫通孔４０１の他端には、第２フェルール１４０の挿入部分１４１が挿入される。換言すれば、第１フェルール１３０の端面と第２フェルール１４０の端面とは、第１貫通孔４０１の内部に置いて対向する。第１接着剤４０２は、スリーブ４００の外周面の一部と挿入部分１３１の外周面の一部を覆うように、スリーブ４００と第１フェルール１３０との境界部分に設けられる。この第１接着剤４０２によって、スリーブ４００と第１フェルール１３０とが固定される。第２接着剤４０３は、スリーブ４００の外周面の一部と挿入部分１４１の外周面の一部とを覆うように、スリーブ４００と第２フェルール１４０との境界部分に設けられる。この第２接着剤４０３によって、スリーブ４００と第２フェルール１４０とが固定される。
【００１４】
第２光ファイバ１５０の一端は、第２フェルール１４０の貫通孔に挿入される。第２光ファイバ１５０の他端は、光出射部１６０に光学的に接続される。第２光ファイバ１５０の構成は、第１光ファイバ１２０と同様である。そのため、第２光ファイバ１５０の説明は省略される。
【００１５】
光出射部１６０は、第２光ファイバ１５０からの光を出射する。具体的には、光出射部１６０は、所定の光学系を備える。この所定の光学系に入射した第２光ファイバ１５０からの光は、拡散光、平行光、又は集束光などの所望の状態に変換された上で、光出射部１６０から出射する。
【００１６】
図８（Ｂ）に示される光源装置において、第１フェルール１３０の端面と第２フェルール１４０の端面との間隔ｄｌを変化させることで、光出射部１６０からの出射光の光量を調整することが考えられる。例えば、先ず、第１接着剤４０２によって第１フェルール１３０とスリーブ４００とが固定される。次に、第２フェルール１４０が貫通孔４０１に挿入された状態で、光出射部１６０からの出射光の光量が、所定の測定器によって測定される。そして、間隔ｄｌを変化させ、出射光の光量が所望の値となった場合に、第２接着剤４０３によって第２フェルール１４０とスリーブ４００とが固定される。
【００１７】
一般的に、接着剤は、硬化する際に揮発成分が揮発することで、収縮する。接着剤が収縮すると、スリーブとフェルールとが、接着剤が設けられている方向に引っ張られる。図８（Ｂ）に示される光源装置においては、第１接着剤４０２がスリーブ４００と第１フェルール１３０境界部分に設けられ、第２接着剤４０３がスリーブ４００と第２フェルール１４０との境界部分に設けられる。そのため、接着剤が硬化することによって、スリーブ４００とフェルールとの位置関係が変化する。図９を用いて、この位置関係の変化を説明する。第２接着剤４０３の硬化前において、スリーブ４００と第２フェルール１４０との位置関係は、図９（Ａ）に示される状態にある。このスリーブ４００と第２フェルール１４０との位置関係は、例えば、図８（Ｂ）に示される間隔ｄｌを変化させ、出射光の光量が所望の値となった状態である。その後、第２接着剤４０３が硬化すると、図９（Ｂ）に示されるように、第２接着剤４０３は、硬化前の状態（図９（Ｂ）において点線で示される）から収縮する。第２接着剤４０３は、スリーブ４００と第２フェルール１４０との境界部分に設けられる。そして、第２フェルール１４０とスリーブ４００とは、わずかにすきまばめとなるように構成される。そのため、第２フェルール１４０において第２接着剤４０３が設けられた箇所と、スリーブ４００において第２接着剤４０３が設けられた箇所とは、第２接着剤４０３の収縮に伴い、互いに近づく方向に変位する。その結果、第２フェルール１４０は、貫通孔４０１の他端と挿入部分１４１との接点Ｆを中心として、第２フェルール１４０がスリーブ４００の長手方向に対して反るように変位する。その結果、第２フェルール１４０から出射される光の出射方向、換言すれば、光軸が回転する。なお、図９（Ｂ）では参考のため、第２接着剤４０３が硬化する前の第２フェルール１４０の位置、即ち、図９（Ａ）における第２フェルール１４０の位置が、破線で示される。同様に、第１フェルール１３０の挿入部分１３１がスリーブ４００の長手方向に対して反るように変位することで、第１フェルール１３０の光軸も回転する。従って、第１フェルール１３０の光軸と第２フェルールの光軸との位置関係が、接着剤の硬化前後において変化する。従って、間隔ｄｌを変化させることによって得られた所望の出射光の光量は、接着剤の硬化によって変化する。特に、第１フェルール１３０及び第２フェルール１４０の光軸が回転するので、出射光の光量は、大幅に変化、具体的には減少する。
【００１８】
本発明は、接着剤の硬化に伴う出射光の光量変化を低減可能な、フェルール固定機構、光源装置、画像提示装置及びプロジェクタを提供することを目的とする。
【課題を解決するための手段】
【００１９】
上記課題を解決するために、本発明の一側面を反映した第１の課題解決手段は、光ファイバが内蔵された第１フェルール及び第２フェルールを、前記第１フェルールの端面と前記第２フェルールの端面が対向した状態で、前記第１フェルールと前記第２フェルールとを光学的に結合するフェルール固定機構であって、前記第１フェルールと前記第２フェルールとを連結するスリーブと、前記スリーブの一部と前記第１フェルールの一部とに設けられ、前記スリーブと前記第１フェルールとを固定する第１接着剤と、前記スリーブの一部と前記フェルールの一部とに設けられ、前記スリーブと前記第２フェルールとを固定する第２接着剤とを備え、前記スリーブは、前記スリーブの長手方向に沿って形成され、その一端に前記第１フェルールが挿入され、その他端に前記第２フェルールが挿入される第１貫通孔と、前記スリーブの長手方向に沿う外周面から前記第１貫通孔へと貫通する第２貫通孔とを有し、前記第２貫通孔は、前記スリーブの長手方向における前記第１フェルールの端面と前記第２フェルールの端面との中間位置であるフェルール対向位置と、前記第１貫通孔の一端との間に設けられ、前記第１接着剤は、前記第２貫通孔と前記外周面の一部とを覆い、前記第２貫通孔を介して前記第１フェルールに接する、ことを特徴とする。
【００２０】
第１の課題解決手段によれば、スリーブの長手方向に沿う外周面から第１貫通孔へと貫通する第２貫通孔が、フェルール対向位置と第１貫通孔の一端との間に設けられる。そして、第２貫通孔とスリーブの外周面の一部とを覆う第１接着剤が、第２貫通孔を介して第１フェルールに接する。第１接着剤が第２貫通孔を介して第１フェルールに接するので、第１接着剤が硬化した場合、第１フェルールは、第２貫通孔の方向、換言すればスリーブの動径方向に変位する。即ち、第１フェルールの外周面は、第１貫通孔の内壁に押しつけられる。従って、図９で説明したように、スリーブ４００のような従来の精密スリーブが用いられる場合と比較して、第１接着剤が硬化しても、第１フェルールの光軸の回転が抑えられる。その結果、接着剤の硬化に伴う出射光の光量変化が低減される。
【００２１】
本発明の他の側面を反映した第２の課題解決手段は、第１の課題解決手段に加えて、前記第２貫通孔は、前記外周面から前記第１貫通孔へと貫通する複数の貫通孔によって構成される。
【００２２】
第２の課題解決手段によれば、第２貫通孔は、外周面から第１貫通孔へと貫通する複数の貫通孔によって構成される。そのため、第１接着剤は、第２貫通孔であるこの複数の貫通孔を介して、第１フェルールに接する。第１接着剤と第１フェルールとの接触点数が複数となるので、接着強度が増加する。従って、第１接着剤が硬化した後において、第１フェルールと第２フェルールとの位置関係はより変動し難くなる。換言すれば、接着剤の硬化後においても、出射光の光量変化がより低減される。
【００２３】
本発明のさらに他の側面を反映した第３の課題解決手段は、第２の課題解決手段に加えて、前記複数の貫通孔は、前記第１フェルールを仮固定するための仮固定孔と、前記仮固定孔よりも大きな開口を有し、前記第１フェルールを本固定するための本固定孔とを有し、前記第１接着剤は、前記仮固定孔と前記外周面の一部とを覆い、前記仮固定孔を介して前記第１フェルールに接する仮固定接着剤と、前記仮固定接着剤が硬化された後に、前記本固定孔と前記外周面の一部とを覆い、前記本固定孔を介して前記第１フェルールに接する本固定接着剤とを有する。
【００２４】
第３の課題解決手段によれば、仮固定孔と外周面の一部とを覆う仮固定接着剤が、仮固定孔を介して第１フェルールに接する。そして、本固定孔を介して第１フェルールに接する本固定接着剤が、仮固定接着剤が硬化された後に、本固定孔と外周面の一部とを覆う。即ち、第１フェルールと第２フェルールとの位置関係が決められたときに、まず仮固定接着剤によって第１フェルールが固定される。仮固定孔の開口は本固定孔の開口よりも小さいので、仮固定接着剤の硬化に伴う第１フェルールと第２フェルールとの位置関係の変化がより抑えられる。そして、仮固定接着剤の硬化後に本固定接着剤が設けられるので、第１フェルールと第２フェルールとの位置関係を保ったまま、接着強度を増加することが可能となる。
【００２５】
本発明のさらに他の側面を反映した第４の課題解決手段は、第１〜第３の何れかの課題解決手段に加えて、前記第１及び前記第２接着剤は、化学反応型又は紫外線硬化型の接着剤である。
【００２６】
第４の課題解決手段によれば、化学反応型又は紫外線硬化型の接着剤が用いられる。これらの接着剤は、例えば常温硬化型の接着剤に比べて、短時間で硬化する。また、熱硬化型接着剤のように、硬化のために特定の雰囲気下に置かれる必要もない。そのため、例えば、出射光の光量を調整しながら、光量が所望の状態になったときに接着剤を硬化することが可能となる。従って、所望の出射光の光量を得ることが、より容易になる。
【００２７】
本発明のさらに他の側面を反映した第５の課題解決手段は、第１〜第４の課題解決手段に加えて、前記第２貫通孔はさらに、前記フェルール対向位置と、前記第１貫通孔の他端との間にも設けられ、前記第２接着剤は、前記第２貫通孔と前記外周面の一部とを覆い、前記第２貫通孔を介して、前記第２フェルールに接する。
【００２８】
第５の課題解決手段によれば、第２貫通孔が、フェルール対向位置と、第１貫通孔の他端との間にも設けられる。そのため、第２フェルールに関しても、第２接着剤が硬化した後の、光軸の回転が抑えられる。従って、第１接着剤及び第２接着剤の硬化後においても、出射光の光量変化がより低減される。
【００２９】
本発明のさらに他の側面を反映した第６の課題解決手段は、波長の異なる光束を出射する複数の発光素子を有する光源部と、前記複数の発光素子から出射される光を合波する合波部と、前記複数の発光素子の各々にその一方の端部が接続され、その他方の端部に前記第１フェルールを有し、前記複数の発光素子から射出される光が入射される複数の第１光ファイバと、前記複数の第１光ファイバに対応して設けられ、合波部にその一方の端部が接続され、その他方の端部に前記第２フェルールを有する複数の第２光ファイバと、前記複数の第１光ファイバと前記複数の第２光ファイバとを固定するための、第１〜第５の何れかの課題解決手段に記載のフェルール固定機構と、を備えることを特徴とする光源装置である。
【００３０】
第６の課題解決手段によれば、第１〜第５の何れかの課題解決手段によって得られるフェルール固定機構を用いた光源装置が得られる。この光源装置において、フェルール固定機構における接着剤の硬化による出射光の光量変化が低減される。そのため、複数の発光素子からの光を所望の光量比で合波可能な光源装置が得られる。
【００３１】
本発明のさらに他の側面を反映した第７の課題解決手段は、第６の課題解決手段に記載の光源装置と、前記光源装置からの光を二次元的に走査して画像を形成する光スキャナと、前記光スキャナによって走査された光を使用者の目に導く接眼光学系とを備える、ことを特徴する画像提示装置である。
【００３２】
第７の課題解決手段によれば、第６の課題解決手段によって得られる光源装置を用いた画像提示装置が得られる。複数の発光素子からの光が所望の光量で合波された光を用いて画像が提示されるので、所望の色を正確に再現可能な画像提示装置が得られる。
【００３３】
本発明のさらに他の側面を反映した第８の課題解決手段は、第６の課題解決手段に記載の光源装置と、前記光源装置からの光を二次元的に走査して画像を形成する光スキャナと、前記光スキャナによって走査された光を所定の被投影面に結像させるための結像光学系とを備える、ことを特徴するプロジェクタである。
【００３４】
第８の課題解決手段によれば、第６の課題解決手段によって得られる光源装置を用いた画像投影装置が得られる。複数の発光素子からの光が所望の光量で合波された光を用いて画像が提示されるので、所望の色を正確に再現可能なプロジェクタが得られる。
【発明の効果】
【００３５】
本発明によれば接着剤の硬化に伴う出射光の光量変化を低減可能な、フェルール固定機構、光源装置、画像提示装置及びプロジェクタを得ることができる。
【図面の簡単な説明】
【００３６】
【図１】（Ａ）スリーブ１００の形状を説明する図、（Ｂ）スリーブ１００を用いた光源装置１０の構成を説明する図。
【図２】（Ａ）スリーブ１００における、第１接着剤１０４の硬化前の状態を示す図、（Ｂ）スリーブ１００における、第１接着剤１０４の硬化後の状態を示す図。
【図３】スリーブ１００を用いた光源１１の構成を説明する図。
【図４】光源１１を用いた、網膜走査ディスプレイ１の構成を説明する図。
【図５】（Ａ）スリーブ２００の形状を説明する図、（Ｂ）スリーブ２００を用いた光源装置２０の構成を説明する図。
【図６】（Ａ）スリーブ３００の形状を説明する図、（Ｂ）スリーブ３００を用いた光源装置３０の構成を説明する図。
【図７】光源１１を用いた、レーザプロジェクタ２の構成を説明する図。
【図８】（Ａ）従来の精密スリーブである、スリーブ４００の形状を説明する図、（Ｂ）スリーブ４００を用いた光源装置４０の構成を説明する図。
【図９】（Ａ）スリーブ４００における、第２接着剤４０３の硬化前の状態を示す図、（Ｂ）スリーブ４００における、第２接着剤４０３の硬化後の状態を示す図。
【発明を実施するための最良の形態】
【００３７】
本発明を反映した上記課題解決手段を実施するための実施形態について、図面を用いて以下に詳細に説明する。上記課題解決手段は以下に記載の構成に限定されるものではなく、同一の技術的思想において種々の構成を採用することができる。例えば、以下に説明する各構成において、所定の構成を省略し、または他の構成などに置換してもよい。また、他の構成を含むようにしてもよい。
【００３８】
＜第１実施形態＞
［スリーブ１００の構成］
図１（Ａ）に示されるように、円筒状のスリーブ１００は、前記したスリーブ４００と同様に、スリーブ１００の長手方向に沿って設けられた、第１貫通孔１０１を有する。スリーブ１００には、第２貫通孔１０２，１０３が形成される。第２貫通孔１０２，１０３は、スリーブ１００の長手方向に沿う外周面から第１貫通孔１０１へと貫通する。このスリーブ１００は、図１（Ｂ）に示される光源装置１０において利用される。
【００３９】
［光源装置１０の構成］
光源装置１０は、光源１１０、第１光ファイバ１２０、第１フェルール１３０、スリーブ１００、第２フェルール１４０、第２光ファイバ１５０及び光出射部１６０を備える。光源装置１０は、スリーブ１００が利用される点と、スリーブ１００と第１フェルール１３０及び第２フェルール１４０との接着様態において、前記した光源装置４０（図８（Ｂ）参照）と相違する。そのため、光源装置１０の説明は、光源装置４０と異なる点に関してのみ行われる。
【００４０】
スリーブ１００は、第１フェルール１３０と第２フェルール１４０とを連結する。第１貫通孔１０１の一端には、第１フェルール１３０の挿入部分１３１が挿入される。第１貫通孔１０１の他端には、第２フェルール１４０の挿入部分１４１が挿入される。換言すれば、第１フェルール１３０の端面と第２フェルール１４０の端面とは、第１貫通孔１０１の内部に置いて対向する。第１フェルール１３０の端面と第２フェルール１４０の端面との中間位置は、フェルール対向位置ＯＰとして、図１（Ｂ）に示される。ここで、第２貫通孔１０２は、フェルール対向位置ＯＰと第１貫通孔１０１の一端（即ち、第１フェルール１３０の挿入部分１３１が挿入される側）との間に位置するように設けられる。また、第２貫通孔１０３は、フェルール対向位置ＯＰと第１貫通孔１０１の他端（即ち、第２フェルール１４０の挿入部分１４１が挿入される側）との間に位置するように設けられる。
【００４１】
第１接着剤１０４は、第２貫通孔１０２とスリーブ１００の外周面の一部とを覆う。第１接着剤１０４は、第２貫通孔１０２を介して、第１フェルール１３０の挿入部分１３１に接する。そのため、第１接着剤１０４が硬化した場合、第１フェルール１３０は、第１接着剤１０４の収縮によって変位する。図２を用いて、この変位を説明する。
【００４２】
第１接着剤１０４の硬化前において、スリーブ１００と第１フェルール１３０との位置関係は、図２（Ａ）に示される状態にある。第１接着剤１０４が硬化すると、図２（Ｂ）に示されるように、第１接着剤１０４は、硬化前の状態（図２（Ｂ）において点線で示される）から収縮する。第１接着剤１０４は、第２貫通孔１０２を介して挿入部分１３１に接するので、第１フェルール１３０において第１接着剤１０４が設けられた箇所と、スリーブ１００において第１接着剤１０４が設けられた箇所とは、第１接着剤１０４の収縮に伴い、互いに近づく方向に変位する。その結果、第１フェルール１３０は、第２貫通孔１０２の方向、換言すればスリーブ１００の動径方向に変位する。従って、挿入部分１３１の外周面は、第１貫通孔１０１の内壁に押しつけられる。図９に示されるように、従来の精密スリーブが用いられる場合は、接着剤の硬化によってフェルールの光軸は回転した。しかし、本実施形態において、第１フェルール１３０の光軸は、第１接着剤１０４の硬化によって平行移動はするけれども、回転しない。なお、図２（Ｂ）では参考のため、第１接着剤１０４が硬化する前の第１フェルール１３０の位置、即ち、図２（Ａ）における第１フェルール１３０の位置が、破線で示される。
【００４３】
再び図１（Ｂ）を参照し、光源装置１０の構成を説明する。第２接着剤１０５は、第２貫通孔１０３とスリーブ１００の外周面の一部とを覆う。第２接着剤１０５は、第２貫通孔１０３を介して、第２フェルール１４０の挿入部分１４１に接する。従って、第１接着剤１０４が第２貫通孔１０２を介して挿入部分１３１に接触する場合と同様に、第２接着剤１０５が硬化しても、第２フェルール１４０の光軸は回転しない。従って、第１フェルール１３０の光軸と第２フェルールの光軸との位置関係の変化は、接着剤の硬化前後において、図８に示されるスリーブが用いられる場合と比較して、抑えられる。その結果、第１接着剤１０４及び第２接着剤１０５の硬化に伴う出射光の光量変化が低減される。本実施形態では特に、第２貫通孔１０２，１０３が、フェルール対向位置ＯＰの両側に設けられる。また、第２貫通孔１０２，１０３は、スリーブ１００の長手方向に平行な同一直線状に整列した状態で設けられる。従って、第１フェルール１３０及び第２フェルール１４０は、第１接着剤１０４及び第２接着剤１０５の硬化によって、同一方向に変位する。そのため、出射光の光量変化がさらに低減される。なお、第１接着剤１０４，１０５は、その種類は限定されないものの、望ましくは、化学反応型又は紫外線硬化型の接着剤である。
【００４４】
［光源装置１０における光量調整方法］
光源装置１０において、合波部１６０からの出射光の光量を調整する方法を説明する。先ず、第２フェルール１４０の挿入部分１４１が、貫通孔１０１に挿入される。そして、第２接着剤１０５が、第２貫通孔１０３に対して注入される。第２接着剤１０５の注入量は、挿入部分１４１に接触した第２接着剤１０５が、第２貫通孔１０３からはみ出してスリーブ１００の外周面の一部を覆うために十分な量である。その後、第２接着剤１０５が硬化されることで、第２フェルール１４０とスリーブ１００とが固定される。第２接着剤１０５の硬化は、第２接着剤１０５の種類に応じた方法で行われる。例えば、第２接着剤１０５が化学反応型の接着剤である場合、第２接着剤１０５の化学反応が終了して硬化するのに必要なだけ、時間が経過する。あるいは、第２接着剤１０５が紫外線硬化型の接着剤である場合、第２接着剤１０５が硬化するのに必要な積算光量に達するまで、紫外線が照射される。
【００４５】
第２フェルール１４０とスリーブ１００との固定後、出射光の光量が調整される。具体的には、第１フェルール１３０の挿入部分１３１が第１貫通孔１０１に挿入された状態で、光源１１０が所定の光量にて発光する。そして、第１フェルール１３０の端面と第２フェルール１４０の端面との間隔ｄｌが調整される。このとき、合波部１６０からの出射光の光量が、パワーメータで測定される。間隔ｄｌを調整することで、測定される出射光の光量が所望の値となった状態で、第１フェルール１３０とスリーブ１００とが固定される。具体的には、所定の治具または作業者の手によって、第１フェルール１３０とスリーブ１００との位置関係が維持された状態において、第１接着剤１０４が、第２貫通孔１０２に対して注入される。第１接着剤１０４の注入量は、挿入部分１３１に接触した第１接着剤１０４が、第２貫通孔１０２からはみ出してスリーブ１００の外周面の一部を覆うために十分な量である。その後、前記した第２接着剤１０５と同様の方法よって、第１接着剤１０４が硬化される。
【００４６】
［光源装置１１の構成］
スリーブ１００は、複数の光源からの光を合波する光源装置にも利用できる。以下、図３を参照して、複数の光源を有する光源装置１１の説明を行う。
【００４７】
光源装置１１は、波長の異なる光束を出射する複数の発光素子を有する光源部を備える。具体的には、光源部として、中心波長λＲ＝６５０ｎｍの赤色レーザを放射するＲ−ＬＤ１１１と、中心波長λＧ＝５３０ｎｍの緑色レーザを放射するＧ−ＬＤ１１２と、中心波長λＢ＝４６０ｎｍの青色レーザを放射するＢ−ＬＤ１１３とが設けられる。但し、Ｒ−ＬＤ１１１、Ｇ−ＬＤ１１２及びＢ−ＬＤ１１３の中心波長は、これらの波長に限定されず、赤色、緑色及び青色として視認される波長であれば良い。なお、Ｒ−ＬＤ１１１、Ｇ−ＬＤ１１２及びＢ−ＬＤ１１３としては、例えば半導体レーザや高調波発生機構付き固体レーザなどが用いられる。
【００４８】
光源装置１１は、Ｒ−ＬＤ１１１、Ｇ−ＬＤ１１２及びＢ−ＬＤ１１３に対応して、複数の第１光ファイバ１２０、第１フェルール１３０、スリーブ１００、第２フェルール１４０及び第２光ファイバ１５０を備える。これらの構成は、前記した光源装置１０と同様であるため、同一の図番を付すことによって説明は省略される。
【００４９】
合波部１６０は、Ｒ−ＬＤ１１１、Ｇ−ＬＤ１１２及びＢ−ＬＤ１１３から放射され、第１光ファイバ１２０、第１フェルール１３０、スリーブ１００、第２フェルール１４０及び第２光ファイバ１５０を介して伝達された、赤色、緑色、及び青色の３色のレーザ光を合波する。合波部１６０は、赤色、緑色、及び青色の３色のレーザ光を、１つの光軸上に合波した状態で出射する。
【００５０】
合波部１６０は、例えば特許文献１に開示の分岐型光同波路のように、光を伝播させる通路状に形成されるコア部と、コア部を被覆するクラッド部とを有する光導波路とによって構成される。コア部は、各色のレーザ光が入射して伝播する３本の分岐部分と、これらの分岐部分を合流させる合流部分とを有する。コア部及びクラッド部は、例えばポリマー系樹脂等のポリマー系材料、あるいは石英ガラスやプラスチック等により構成される。また、コア部の屈折率は、クラッド部の屈折率よりも高い。
【００５１】
合波部１６０においては、コア部の各分岐部分の合流する側と反対側の端部から、各色に対応する第２光ファイバ１５０を介して各色のレーザが入射する。そして、コア部の各分岐部分に入射した各色のレーザ光は、コア部の合流部分にて合波され、合流部分の分岐する側と反対側の端部からスポット状のレーザ光として出射される。
【００５２】
なお、合波部１６０の構成は、Ｒ−ＬＤ１１１、Ｇ−ＬＤ１１２及びＢ−ＬＤ１１３から放射される３色のレーザ光を合波することができるものであれば限定されない。例えば、各色に対応する第２光ファイバ１５０から入射するレーザ光をコリメートするコリメータレンズや、波長選択性によって各色のレーザ光を透過又は反射させることで合成するダイクロイックミラーや、合成されたレーザ光を集光するレンズ等の光学系などが、合波部１６０として利用されてもよい。
【００５３】
［網膜走査ディスプレイ１の構成］
光源装置１１は、網膜走査ディスプレイに利用可能である。図４に示されるように、網膜走査ディスプレイ１は、制御ユニット１ａと、頭部表示ユニット１ｂとで構成される。制御ユニット１ａと頭部表示ユニット１ｂとは、別体に構成される。制御ユニット１ａは、例えば使用者の腰などに取り付けられる。頭部表示ユニット１ｂは、制御ユニット１ａと電気的及び光学的な信号を伝達可能な信号線によって接続される。頭部表示ユニット１ｂは、例えば米国特許出願公開２０１０／００７３２６２号公報などに開示されているように、眼鏡型の装着具などを用いて使用者の頭部に装着される。勿論、制御ユニット１ａと、頭部表示ユニット１ｂとが一体に構成されても差し支えない。
【００５４】
制御ユニット１ａは、制御部１２と、操作部１３と、外部インターフェース（Ｉ／Ｆ）１４と、Ｒレーザドライバ１５ａと、Ｇレーザドライバ１５ｂと、Ｂレーザドライバ１５ｃと、光源装置１１とを有する。制御部１２は、例えばＣＰＵ，ＲＯＭ，ＲＡＭを含むマイコンなどで構成される。制御部１２は、ＰＣなどの外部機器から外部Ｉ／Ｆ１４を介して供給される画像データに基づいて、画像を合成するための要素となるＲ信号、Ｇ信号、Ｂ信号、水平信号及び垂直信号を発生する。制御部１２は、Ｒ信号をＲレーザドライバ１５ａに、Ｇ信号をＧレーザドライバ１５ｂに、Ｂ信号をＢレーザドライバ１５ｃに、それぞれ送信する。制御部１２は、水平信号を水平走査ドライバ２３に、垂直信号を垂直走査ドライバ２６にそれぞれ送信する。水平信号及び垂直信号には、水平スキャナ２２及び垂直スキャナ２５の動作のタイミングを決定する同期信号や、水平走査ドライバ２３及び垂直走査ドライバ２６から水平スキャナ２２及び垂直スキャナ２５に送信される駆動信号の電圧や周波数を設定する駆動設定信号などが含まれる。操作部１３は、使用者からの操作を受け付ける各種ボタンと、各種ボタンが押下された際に発生する操作信号を制御部１２に送信するインターフェース回路などによって構成される。使用者からの操作を受け付ける各種ボタンは、例えば、制御ユニット１ａの筐体表面に設けられる。外部Ｉ／Ｆ１４は、制御ユニット１ａとＰＣなどの外部機器とを電気的に接続するためのインターフェースである。
【００５５】
Ｒレーザドライバ１５ａは、制御部１２からのＲ信号に応じた光量の赤色レーザを発生させるように、光源装置１１のＲ−ＬＤ１１１を駆動する。Ｇレーザドライバ１５ｂは、制御部１２からのＧ信号に応じた光量の緑色レーザを発生させるように、光源装置１１のＧ−ＬＤ１１２を駆動する。Ｂレーザドライバ１５ｃは、制御部１２からのＢ信号に応じた光量の青色レーザを発生させるように、光源装置１１のＢ−ＬＤ１１３を駆動する。各色のレーザ光の強度比を調整することによって、所望の色を有するレーザ光が合成可能となる。Ｒ−ＬＤ１１１、Ｇ−ＬＤ１１２及びＢ−ＬＤ１１３から発生した各色のレーザ光は、合波された状態で光源装置１１から出射される。出射されたレーザ光は、信号線に含まれる光ファイバを介して、頭部表示ユニット１ｂに伝達される。
【００５６】
頭部表示ユニット１ｂは、コリメート光学系２１と、水平スキャナ２２と、水平走査ドライバ２３と、リレー光学系２４と、垂直スキャナ２５と、垂直走査ドライバ２６と、接眼光学系２７とを有する。
【００５７】
コリメート光学系２１は、光ファイバから出射したレーザ光を平行光に変換する。平行光に変換されたレーザ光は、水平スキャナ２２に入射する。
【００５８】
水平スキャナ２２は、コリメート光学系２１からのレーザ光を水平方向に走査する。具体的には、水平スキャナ２２は、揺動する反射面を有する。反射面が揺動することで、反射面に入射したレーザ光は、水平方向に走査される。水平スキャナ２２は、例えば、圧電素子を用いて揺動するＭＥＭＳ（ＭｉｃｒｏＥｌｅｃｔｒｏＭｅｃｈａｎｉｃａｌ  Ｓｙｓｔｅｍ）ミラーで構成可能である。水平走査ドライバ２３は、制御部１２からの水平同期信号に従って、水平スキャナ２２の揺動状態を制御する。水平走査されたレーザ光は、リレー光学系２４に入射する。
【００５９】
リレー光学系２４は、正の屈折力を持つレンズ系２４ａ、２４ｂを有する。レンズ系２４ａは、水平スキャナ２２からレンズ系２４ａの焦点距離を離れた位置に配置される。従って、水平走査されたレーザ光は、レンズ系２４ａによって互いの光軸が平行になるように屈折される。また、水平走査されたレーザ光は、コリメート光学系２１によって平行光化されているので、集束光として変換される。図４では、レーザ光の光軸が点線で示され、リレー光学系２４及び接眼光学系２７の中心（＝光軸）を通過するレーザ光の光線が実線で示される。レンズ系２４ｂは、レンズ系２４ａから、レンズ系２４ａの焦点距離とレンズ系２４ｂの焦点距離との合計の距離を離れた位置に配置される。従って、レンズ系２４ａを通過したレーザ光は、レンズ系２４ｂによって互いの光軸が垂直スキャナ２５上の一点に集束するように屈折される。また、レンズ系２４ａを通過した際に集束光として変換されたレーザ光は、レンズ系２４ｂによって再度平行光化される。即ち、リレー光学系２４は、水平スキャナ２２において形成された光学瞳（＝レーザ光の入射点）を、垂直スキャナ２５上に転送する機能を果たす。
【００６０】
垂直スキャナ２５は、リレー光学系２４からのレーザ光を垂直方向に走査する。具体的には、垂直スキャナ２５は、揺動する反射面を有する。反射面が揺動することで、反射面に入射したレーザ光は、垂直方向に走査される。垂直スキャナ２２は、例えば、ムービングコイル方式で揺動する電磁型のＭＥＭＳミラーで構成可能である。垂直走査ドライバ２７は、制御部１２からの垂直同期信号に従って、垂直スキャナ２５の揺動状態を制御する。ここで、レーザ光は、水平スキャナ２２によって水平方向に走査されているので、垂直スキャナ２５によって二次元的に走査された画像光となる。二次元走査された画像光は、接眼光学系２７に入射する。
【００６１】
接眼光学系２７は、正の屈折力を持つレンズ系２７ａ、２７ｂを有する。接眼光学系２７は、リレー光学系２４と同様に、垂直スキャナ２５において形成された光学瞳を、使用者の眼の瞳孔に転送する機能を果たす。接眼光学系２７を出射した画像光は、使用者の眼の瞳孔を通過し、網膜上に結像する。従って、使用者は、画像を視認する。
【００６２】
＜第２実施形態＞
［スリーブ２００の構成］
図５（Ａ）に示されるスリーブ２００は、スリーブ２００の長手方向に沿って設けられた、第１貫通孔２０１を有する。スリーブ２００には、第２貫通孔２０２が一つだけ形成される点に置いて、前記したスリーブ１００（図１（Ａ）参照）と相違する。第２貫通孔１０２は、スリーブ２００の長手方向に沿う外周面から前記第１貫通孔２０１へと貫通する。このスリーブ２００は、図５（Ｂ）に示される光源装置２０において利用される。
【００６３】
［光源装置２０の構成］
光源装置２０は、光源１１０、第１光ファイバ１２０、第１フェルール１３０、スリーブ２００、第２フェルール１４０、第２光ファイバ１５０及び光出射部１６０を備える。光源装置２０は、スリーブ２００が利用される点と、スリーブ２００と第１フェルール１３０及び第２フェルール１４０との接着様態とにおいて、前記した光源装置１０（図１（Ｂ）参照）と相違する。そのため、光源装置２０の説明は、光源装置１０と異なる点に関してのみ行われる。
【００６４】
スリーブ２００は、第１フェルール１３０と第２フェルール１４０とを連結する。第１貫通孔２０１の一端には、第１フェルール１３０の挿入部分１３１が挿入される。第１貫通孔２０１の他端には、第２フェルール１４０の挿入部分１４１が挿入される。第２貫通孔２０２は、フェルール対向位置ＯＰと第１貫通孔２０１の一端（即ち、第１フェルール１３０の挿入部分１３１が挿入される側）との間に位置するように設けられる。
【００６５】
第１接着剤２０３は、第２貫通孔２０２とスリーブ２００の外周面の一部とを覆う。第１接着剤２０３は、第２貫通孔２０２を介して、第１フェルール１３０の挿入部分１３１に接する。一方、第２接着剤２０４は、図８（Ｂ）に示される光源装置４０の場合と同様に、スリーブ２００の外周面の一部と挿入部分１４１の外周面の一部とを覆うように、スリーブ２００と第２フェルール１４０との境界部分に設けられる。
【００６６】
［光源装置２０における光量調整方法］
光源装置２０における合波部１６０からの出射光の光量を調整する方法は、前記した光源装置１０における方法と略同じである。即ち、先ず、第２フェルール１４０の挿入部分１４１が、第１貫通孔２０１の他端に挿入される。そして、第２接着剤２０４が、スリーブ２００の外周面の一部と挿入部分１４１の外周面の一部とを覆うように、スリーブ２００と第２フェルール１４０との境界部分に設けられる。その後、第２接着剤２０４が硬化されることで、第２フェルール１４０とスリーブ２００とが固定される。その後、間隔ｄｌを調整することで、測定される出射光の光量が所望の値となった状態で、第１フェルール１３０とスリーブ２００とが固定される。この固定は、第２貫通孔２０２に対して注入される第１接着剤２０３によって行われる。
【００６７】
本実施形態のスリーブ２００において、フェルール対向位置ＯＰと第１貫通孔２０１の他端（即ち、第２フェルール１４０の挿入部分１４１が挿入される側）との間には、第２貫通孔は設けられない。そのため、第２接着剤２０４が硬化することによって、貫通孔２０１の他端と第２フェルール１４０の挿入部分１４１との接点を中心として、第２フェルール１４０がスリーブ２００の長手方向に対して反るように変位する。そのため、第２フェルール１４０の光軸が回転する。しかし、本実施形態では、第２接着剤２０４が硬化された後で、間隔ｄｌが調整される。そして、出射光の光量が所望の値となった状態で、第２貫通孔２０２に対して注入される第１接着剤２０３によって、第１フェルール１３０とスリーブ２００とが固定される。第１接着剤２０３が硬化した場合、第１フェルール１３０は、第２貫通孔２０２の方向、換言すればスリーブ２００の動径方向に変位する。即ち、第１フェルール１３０の外周面は、第１貫通孔２０１の内壁に押しつけられる。そのため、第１接着剤２０３が硬化しても、第１フェルール１３０の光軸は回転しない。従って、第１フェルール１３０と第２フェルール１４０との位置関係の変化が抑えられる。その結果、間隔ｄｌが調整された後の状態、換言すれば、所望の値となった出射光の光量が、維持される。
【００６８】
＜第３実施形態＞
［スリーブ３００の構成］
図６（Ａ）に示されるスリーブ３００は、スリーブ３００の長手方向に沿って設けられた、第１貫通孔３０１を有する。スリーブ３００は、スリーブ３００の長手方向に沿う外周面から第１貫通孔３０１へと貫通する第２貫通孔３０２，３０３を有する。スリーブ３００は、この第２貫通孔３０２の形状において、前記したスリーブ１００（図１（Ａ）参照）と相違する。具体的には、第２貫通孔３０２は、仮固定孔３０２ａと、本固定孔３０２ｂとで構成される。仮固定孔３０２ａは、第１フェルール１３０を仮固定する。本固定孔３０２ｂは、仮固定孔よりも大きな開口を有し、第１フェルール１３０を本固定する。このスリーブ３００は、図６（Ｂ）に示される光源装置３０において利用される。
【００６９】
［光源装置３０の構成］
光源装置３０は、光源１１０、第１光ファイバ１２０、第１フェルール１３０、スリーブ３００、第２フェルール１４０、第２光ファイバ１５０及び光出射部１６０を備える。光源装置３０は、スリーブ３００が利用される点と、スリーブ３００と第１フェルール１３０及び第２フェルール１４０との接着様態において、前記した光源装置１０（図１（Ｂ）参照）と相違する。そのため、光源装置３０の説明は、光源装置１０と異なる点に関してのみ行われる。
【００７０】
スリーブ３００は、第１フェルール１３０と第２フェルール１４０とを連結する。第１貫通孔３０１の一端には、第１フェルール１３０の挿入部分１３１が挿入される。第１貫通孔３０１の他端には、第２フェルール１４０の挿入部分１４１が挿入される。第２貫通孔３０２は、フェルール対向位置ＯＰと第１貫通孔３０１の一端（即ち、第１フェルール１３０の挿入部分１３１が挿入される側）との間に位置するように設けられる。第２貫通孔３０３は、フェルール対向位置ＯＰと第１貫通孔３０１の他端（即ち、第２フェルール１４０の挿入部分１４１が挿入される側）との間に位置するように設けられる。
【００７１】
第１接着剤３０４は、仮固定孔３０２ａとスリーブ３００の外周面の一部とを覆う。第１接着剤３０４は、仮固定孔３０２ａを介して、第１フェルール１３０の挿入部分１３１に接する。第１接着剤３０５は、本固定孔３０２ｂとスリーブ３００の外周面の一部とを覆う。第１接着剤３０５は、本固定孔３０２ｂを介して、第１フェルール１３０の挿入部分１３１に接する。第２接着剤３０６は、第２貫通孔３０３とスリーブ３００の外周面の一部とを覆う。第２接着剤３０６は、第２貫通孔３０３を介して、第２フェルール１４０の挿入部分１４１に接する。ここで、第１接着剤３０４，３０５は、異なる種類であっても、同一の種類であっても差し支えない。
【００７２】
［光源装置３０における光量調整方法］
光源装置３０における合波部１６０からの出射光の光量の調整方法は、第２貫通孔３０２におけるスリーブ３００と第１フェルール１３０との固定において、前記した第１実施形態における光源装置１０における調整方法と相違する。即ち、先ず、第２フェルール１４０が、第２貫通孔３０６に注入された第２接着剤３０６によって、スリーブ３００に対して固定される。その後、間隔ｄｌを調整することで、測定される出射光の光量が所望の値となった状態で、第１フェルール１３０とスリーブ３００とが固定される。この固定においては、先ず、所定の治具または作業者の手によって第１フェルール１３０とスリーブ３００との位置関係が維持された状態において、仮固定孔３０２ａに第１接着剤３０４が注入される。第１接着剤３０４には、一例として、固定精度の向上を目的とし、硬化速度が速く且つ硬化時の収縮量が小さい接着剤が用いられる。第１接着剤３０４の注入量は、挿入部分１３１に接触した第１接着剤３０４が、仮固定孔３０２ａからはみ出してスリーブ３００の外周面の一部の一部を覆うために十分な量である。但し、第１接着剤３０４の注入量は、仮固定孔３０２ａからはみ出した第１接着剤３０４が本固定孔３０２ｂに侵入しない程度に抑えられる。次に、第１接着剤３０４が硬化される。第１接着剤３０４の硬化によって第１フェルール１３０はスリーブ３００に対して仮固定されるので、この段階以降、所定の治具または作業者は、第１フェルール１３０とスリーブ３００との位置関係を維持する必要が無くなる。そして、本固定孔３０２ｂに第１接着剤３０５が注入される。第１接着剤３０５には、一例として、振動、落下に対する耐性を確保する目的で、弾力性のある接着剤が用いられる。最後に、第１接着剤３０５が硬化されることで、第１フェルール１３０はスリーブ３００に対して本固定される。
【００７３】
＜変形例＞
本発明は、今までに述べた実施形態に限定されることは無く、その趣旨を逸脱しない範囲において種々の変形・変更が可能である。以下にその一例を述べる。
【００７４】
前記した実施形態において、複数の光源からの光を合波する光源装置１１には、スリーブ１００が利用される。しかし、スリーブ２００又はスリーブ３００が、スリーブ１００の代わりとして光源装置１１に用いられても差し支えない。スリーブ２００又はスリーブ３００が、光源装置１１に用いられる場合、スリーブ２００又はスリーブ３００と第１フェルール１３０及び第２フェルール１４０との接着様態は、前記した光源装置２０又は光源装置３０の接着様態に準ずる。
【００７５】
前記した実施形態において、光源装置１１は、網膜走査ディスプレイ１に用いられる。しかし、光源装置１１は、他のいかなる用途に用いられても良い。一例として、光源装置１１が、図７に示されるように、走査されたレーザ光を被投影面上に結像するレーザプロジェクタ２に用いられても良い。レーザプロジェクタ２は、垂直走査スキャナ２５よりも後段の光学系において、網膜走査ディスプレイ１と相違する。そのため、垂直走査スキャナ２５における網膜走査ディスプレイ１と共通する構成に関する説明は、同一の図番を採用することによって省略される。結像光学系２８は、正の屈折力を持つレンズ系である。結像光学系２８は、垂直スキャナ２５からの平行光化されたレーザ光を集束することで、スクリーンなどの被投影面上に結像する。なお、任意の距離にある被投影面に対して結像を行うために、結像光学系２８は、所定のフォーカス調整機能を備えるのが望ましい。
【００７６】
前記した網膜走査ディスプレイ１及びレーザプロジェクタ２において、合波されたレーザ光は、水平スキャナ２２によって水平方向に走査された後で、垂直スキャナ２５によって垂直方向に走査されることで、２次元的に走査された画像光に変換される。しかし、例えば、垂直スキャナ２５と水平スキャナ２２の順番とが入れ替わってもよい。即ち、合波されたレーザ光は、垂直スキャナ２５によって垂直方向に走査された後で、水平スキャナ２２によって水平方向に走査されることで、２次元的に走査された画像光に変換されてもよい。あるいは、水平スキャナ２２及び垂直スキャナ２５の代わりに、１つのデバイスで水平方向及び垂直方向の２方向に走査可能な二次元スキャナ（例えば、特開２００３−２０７７３７号公報を参照）が用いられてもよい。
【００７７】
前記した実施形態において、スリーブは、スリ割りを有さないタイプが例示された。しかし、本発明の特徴は、スリーブが第２貫通孔を有することと、この第２貫通孔とスリーブの外周面の一部を覆う接着剤が、第２貫通孔を介してフェルールに接することである。従って、スリーブにおけるスリ割りの有無は、本発明とは無関係の構成である。即ち、スリ割りを有する、いわゆる割りスリーブが第２貫通孔を有していても、本発明の範囲に当然含まれる。
【００７８】
前記した実施形態において、第２貫通孔は、同一直線上に整列した様態で、スリーブの外周面に形成された。しかし、この第２貫通孔の配置は他の様態であっても差し支えない。例えば、第２貫通孔は、スリーブの外周面において、円周方向に複数形成されてもよい。また、フェルール対向位置ＯＰと第１貫通孔の両側端との間に、前記した仮固定孔及び本固定孔が形成されても差し支えない。勿論、第２貫通孔を構成する複数の貫通孔の数も、２つ（即ち、前記した仮固定孔及び本固定孔）より多くてもよい。
【００７９】
前記した実施形態において、スリーブ２００に設けられる第２貫通孔２０３は、スリーブ２００と第１フェルール１３０とを固定するためのものである。しかし、例えば、第２貫通孔２０３は、フェルール対向位置ＯＰと第１貫通孔２０１の他端（即ち、第２フェルール１４０の挿入部分１４１が挿入される側）との間に位置するように設けられてもよい。この場合、第２貫通孔２０３は、スリーブ２００と第２フェルール１４０とを固定するためのものとなる。
【符号の説明】
【００８０】
１  網膜操作ディスプレイ
１ａ  制御ユニット
１ｂ  頭部表示ユニット
２  レーザプロジェクタ
１０，１１，２０，３０，４０  光源装置
１２  制御部
１３  操作部
１４  外部Ｉ／Ｆ
１５ａ  Ｒレーザドライバ
１５ｂ  Ｇレーザドライバ
１５ｃ  Ｂレーザドライバ
２１  コリメート光学系
２２  水平スキャナ
２３  水平走査ドライバ
２４  リレー光学系
２４ａ，２４ｂ，２７ａ，２７ｂ  レンズ系
２５  垂直スキャナ
２６  垂直走査ドライバ
２７  接眼光学系
２８  結像光学系
１００，２００，３００，４００  スリーブ
１０１，２０１，４０１  第１貫通孔
１０２，１０３，２０２，３０２  第２貫通孔
１０４，２０３，３０４，３０５，４０２  第１接着剤
１０５，２０４，３０６，４０３  第２接着剤
１１０  光源
１１１  Ｒ−ＬＤ
１１２  Ｇ−ＬＤ
１１３  Ｂ−ＬＤ
１２０  第１光ファイバ
１３０  第１フェルール
１３１，１４１  挿入部分
１４０  第２フェルール
１５０  第２光ファイバ
１６０，１６１  合波部
３０２ａ  仮固定孔
３０２ｂ  本固定孔
ＯＰ  フェルール対向位置
【図１】
2011242476.tif 000003
【図２】
2011242476.tif 000004
【図３】
2011242476.tif 000005
【図４】
2011242476.tif 000006
【図５】
2011242476.tif 000007
【図６】
2011242476.tif 000008
【図７】
2011242476.tif 000009
【図８】
2011242476.tif 000010
【図９】
2011242476.tif 000011